(57)【要約】【課題】  使い勝手を損わずに、搬送中の安全性が高められた自動玉外しフックの提供目的とする。【解決手段】  主軸1に形成した回転制御孔6に円孔6bに連続して下方に延び、前記レバー支軸4が回転不能に、かつ、摺動可能に挿通される縦長の長孔6cを追加する。又、レバー支軸4を円孔6bの上方に延びる長孔6a又は円孔6b以下に選択的に位置決めする位置決め手段10が設けられる。玉掛け後、吊り上げまでの間はフックFに手を掛けずに済み、使い勝手が損われない。搬送中に鈎先部に荷重が作用しない状態が発生しても下側の長孔6cから円孔6bにレバー支軸4が移動するまでの間は玉外しされない。【選択図】  図１
2005138923.tif 000002
【特許請求の範囲】
【請求項１】
主軸に形成される回転制御孔が、係止レバーの上端部に固定された非円形断面のレバー支軸が回転可能に挿通される円孔と、この円孔に連続して上方に延び、前記レバー支軸が回転不能に、かつ、摺動可能に挿通される縦長の長孔と、前記円孔に連続して下方に延び、前記レバー支軸が回転不能に、かつ、摺動可能に挿通される縦長の長孔とからなり、前記レバー支軸を前記円孔の上方に延びる長孔又は前記円孔以下に選択的に位置決めする位置決め手段が設けられていることを特徴とする自動玉外しフック。
【発明の詳細な説明】
【技術分野】
【０００１】
本発明は、自動玉外しフックに関する。
【背景技術】
【０００２】
自動玉外しフックとしては、次掲の特許文献１に記載されたものがある。
【特許文献１】特開２００２−５３２８５号公報
【発明の開示】
【発明が解決しようとする課題】
【０００３】
前記特許文献１に記載された自動玉外しフック（以下、従来例）によれば、搬送中にワイヤが振動して鈎先部に重量が一定時間以上にわたって作用しなくなると係止レバーがバネに付勢されて鈎先部から離脱し、いわゆる玉外しが自動的に行われて搬送物が落下するおそれが生じる。
【０００４】
本発明は、この従来例の技術的手段を解消し、使い勝手を損なうことなく搬送物の落下を防止できる、安全性の高い自動玉外しフックを提供することを目的とするものである。
【課題を解決するための手段】
【０００５】
この目的を達成するため、本発明の自動玉外しフックは、主軸に形成される回転制御孔が、係止レバーの上端部に固定された非円形断面のレバー支軸が回転可能に挿通される円孔と、この円孔に連続して上方に延び、前記レバー支軸が回転不能に、かつ、摺動可能に挿通される縦長の長孔と、前記円孔に連続して下方に延び、前記レバー支軸が回転不能に、かつ、摺動可能に挿通される縦長の長孔とからなり、前記レバー支軸を前記円孔の上方に延びる長孔又は前記円孔以下に選択的に位置決めする位置決め手段が設けられていることを特徴とするという技術的手段を採用する。
【０００６】
本発明のその他の構成は前記従来例と同様であり、前記主軸は縦長に形成され、該主軸の下端部に鈎先部が鈎先支軸を介して水平軸心周りに回転可能に支持され、又、該主軸の上部には前記レバー支軸を介して係止レバーの上端部が支持される。前記レバー支軸はこの係止レバーに固定され、前記主軸の円孔内では該主軸に対して水平軸心周りに回転可能になり、その上方又は下方の長孔内では回転不能になる。係止レバーの下端部には前記鈎先部が係脱される係合ピンが設けられ、鈎先部にはこの係合ピンに係脱される係合凹部が形成されている。更に、前記主軸と係止レバーとにわたって架着されたバネにより、フックが開く方向に付勢されている。
【０００７】
さて、本発明の自動玉外しフックにおいて、例えば積荷に掛けたワイヤが鈎先部に掛けられていない非玉掛け状態では、前記バネの付勢によりレバー支軸が前記円孔内に位置し、係止レバーはフックが開く方向に回転して鈎先部と係止レバーとの係合が解除され、鈎先部はその自重で下方に垂下り、フックが開かれた状態になり、前記レバー主軸の該円孔から上方の長孔への移動は、位置決め手段により制限されている。
【０００８】
鈎先部にワイヤを掛けた後、係止レバーと鈎先部とを係合させてから、係合レバーを手で押し上げ、レバー支軸が位置決め手段を乗り越えて前記円孔の上方に連続する長孔内に移動させると、位置決め手段によりレバー支軸が該長孔内に位置決めされ、ワイヤを掛けた鈎先部と係止レバーとが係合されている状態が保持される。
【０００９】
この後、フックを上昇させ、ワイヤに作用する荷重が一定以上に増加すると、位置決め手段の作用が解除され、レバー支軸は一挙に上方の長孔から、円孔を通り、下方の長孔に下がり、ワイヤを掛けた鈎先部と係止レバーとが係合されている状態が受継がれる。
【００１０】
何らかの理由により、搬送中に鈎先部に一定時間以上荷重が作用しなくなっても、レバー支軸が円孔の下方の長孔に位置しているので、バネによりレバー支軸が円孔に引上げられるまでの間は係止レバーが、フックが開く方向に回転しないので、鈎先部と係止レバーとが係合されている状態が解除されることはない。
【００１１】
つまり、従来例によれば、搬送中に鈎先部に荷重が作用しなくなってから鈎先部と係止レバーとの係合が解除されるまでの余裕が鈎先部の係合凹部の深さだけに依存していたのに対し、本発明によれば、この係合凹部の深さに加えて、レバー支軸が下側の長孔に入り込んでいる分余裕が大きくなり、この分安全性が高められるのである。
【発明の効果】
【００１２】
以上に説明したように、本発明によれば、前記のように構成するので、搬送中に振動により鈎先部の先端部が係止ピンから浮き上がっても、係止レバーに固定されたレバー支軸が下側の長孔内に位置していれば係止レバーの回転が禁止され、鈎先部が係止レバーから解放されるおそれがなく、搬送物の落下を防止して安全性を高めることができる。
【００１３】
又、玉掛け終了後、搬送物の吊り上げまでの間、ワイヤを押えておく必要が無いので、使い勝手が損なわれることは無いという効果を得ることができる。
【発明を実施するための最良の形態】
【００１４】
本発明の一実施例に係る自動玉外しフックを図面に基づいて具体的に説明すると、以下の通りである。
【００１５】
図１は搬送時の本発明の一実施例に係る自動玉外しフックの側面図である。
【００１６】
この図１に示すように、本発明の一実施例に係る自動玉外しフック（以下、フックといい、図面においては符号Ｆで示す。）は、縦長の主軸１と、この主軸１の下端部に鈎先支軸２を介して水平軸心周りに回転自在に支持された鈎先部３と、前記主軸１の上部にレバー支軸４を介して支持された係止レバー５とを備える。
【００１７】
前記レバー支軸４は、例えば弦月形などの非円形断面を有し、前記主軸１の上部にはこのレバー支軸４が挿通される回転制御孔６が形成される。
【００１８】
この回転制御孔６は、前記レバー支軸４がその軸心周りに回転可能に挿通される円孔６ｂと、この円孔６ｂに連続しての上方に延びる長孔６ａと、前記円孔６ｂに連続して下方に延びる長孔６ｃとからなり、前記レバー支軸４は上下の長孔６ａ、６ｃには回転不能に、かつ、上下に摺動可能に挿通される。
【００１９】
前記係止レバー５は紙面の表裏方向に並ぶ１対の縦長帯板からなるレバー板５ａと、これらレバー板５ａの中間部どうしを連結する中間ピン５ｂと、両レバー板５ａの端部どうしを連結する係止ピン５ｃとを備えている。
【００２０】
前記主軸１にはバネ掛け７が設けられ、このバネ掛け７と前記連結ピン５ｂとのわたって架着された引張りコイルバネからなるバネ８により、前記レバー支軸４が前記円孔６ａに位置する時に、前記係止レバー５が下方に垂下る係止位置から、下端部が前記主軸１から遠ざかった解除位置に付勢される。
【００２１】
前記鈎先部３は、その基部３ａが前記鈎先支軸２を介して前記主軸１の下端部に水平軸心周りに回転自在に支持される。この鈎先部３の先端部３ｂを係止レバー５側に水平に向けた時に下側になる部分には、逆Ｖ字形、逆Ｕ字形、上に湾曲する弧形状などの形状を有し、前記係合ピン５ｃが係脱される係合凹部９が形成される。
【００２２】
前記円孔６ｂと上側の長孔６ａとの境界には、レバー支軸４を上側の長孔６ａ内と、円孔６ｂ以下とに位置決めする位置決め手段１０が設けられる。この位置決め手段１０は、半球形、球形、円錐くさび形、砲弾形、円筒形などの形状に形成され、回転制御孔６に出没可能に設けられたストッパ１０ａと、これを回転制御孔６内に進出付勢するバネ１０ｂとを備え、レバー支軸４を昇降させる力が一定以上になればストッパ１０ａがレバー軸４に押されて回転制御孔６外に退出するようにしている。
【００２３】
図２は自由状態での前記フックＦの側面図であり、この図２に示すように、自由状態では、レバー支軸４が前記位置決め手段１０よりも下方に位置し、前記バネ８に引っ張られて円孔６ｂに位置する。この位置ではレバー支軸４はその軸心周りに回転自在であるので、前記バネ８の力で係止レバー５が前記解除位置に位置する。
【００２４】
図３は玉掛け終了時の前記フックＦの側面図であり、この図３に示すように、鈎先部３をワイヤ１１に潜らせ、先端を係止レバー５側に振り上げた後、係止レバー５を解除位置から係止位置に振り下げてから係止レバー５を上方に押し上げる。これにより、係合凹部９が係止ピン５ｃに受止められている玉掛け状態になり、更に、レバー支軸４に押されて位置決め手段１０の位置決め作用が一旦解除され、レバー支軸４が上側の長孔６ａに入ると、位置決め手段１０の作用が回復し、この後、係止レバー５を手放してもレバー支軸４が上側の長孔６ａ内に保持され、玉掛け状態が保たれる。
【００２５】
この後、フックＦを吊り上げると、図１に示すように、鈎先部３に荷重が作用し、位置決め手段１０の作用が解除されてレバー支軸４が上側の長孔６ａから脱出し、円孔６ｂを通って下側の長孔６ｃまで下がる。この移動の間は、荷物の重量により係止ピン５ｃが係合凹部９に押付けられるので、係止レバー５が係止位置から解除位置に移動することはない。
【００２６】
即ち、玉掛けした後、荷を吊り上げるまでの間は、フックＦから外れないようワイヤ１１を抑えたりする必要はないので、使い勝手が損われることはない。
【００２７】
搬送物の周囲の他物への接触による振動など、何らかの理由により、搬送中に鈎先部３に荷重が作用しないことが生じた場合、係止レバー５はバネ８により上方に引上げられるが、係止レバー５に同行するレバー支軸４が下側の長孔６ｃから円孔６ｂ内に完全に移動するまでの間はレバー支軸４の回転が禁じられているので、この間に鈎先部３から係止レバー５が離脱することはない。
【００２８】
なお、レバー支軸４が前記円孔６ｂに移動した後は、前記従来例と同様に、前記係合凹部９と係合ピン５ｃとの係合が解除される臨界状態を越えない限り、鈎先部３が係合ピン５ｃから離脱することはなく、ワイヤ１１が鈎先部３から抜け落ちるおそれはない。
【００２９】
荷下し時には、鈎先部３に作用する荷物の荷重が減少するに連れ、バネ８に力で係止レバー５を介して鈎先部３の先端部３ｂが持上げられると共に、レバー支軸４が下側の長孔６ｃから円孔６ｂに持上げられる。そして、レバー支軸４が完全に円孔６ｂに入ると、バネ８の力で係止レバー５が回転し、係合凹部９と係止ピン５ｃとの係合が解除され、鈎先部３が自重で垂下り、自動的にワイヤ１１が解放（玉外し）される。
【図面の簡単な説明】
【００３０】
【図１】本発明の側面図である。
【図２】本発明の側面図である。
【図３】本発明の側面図である。
【符号の説明】
【００３１】
Ｆ  フック
１  主軸
４  レバー支軸
５  係止レバー
６ａ  長孔
６ｂ  円孔
６ｃ  長孔
【図１】
2005138923.tif 000003
【図２】
2005138923.tif 000004
【図３】
2005138923.tif 000005